(57)【特許請求の範囲】
【請求項１】
ギャッチベッドにおいて、メインフレーム側にステー基端側を回動可能に取り付ける一方、ステー先端側に支持位置調節手段を介して足側ボトムを支持する構成とし、前記支持位置調節手段は、足側ボトム裏面側に、ボトム長手方向に沿う長穴を形成して、この長穴に前記ステー先端側を移動可能に受けてなる調節受部材と、前記ステー先端側に設けた操作レバーと、操作レバー直下においてボトム長手方向に指向して配置したストッパ基台と、このストッパ基台に列設した複数の調節固定穴と、前記操作レバーに突設したストッパとを備え、この操作レバーにおけるストッパを付勢手段により前記ストッパ基台のいずれかの調節固定穴に係止させる構成としたことを特徴とするギャッチベッドにおける足側ボトムの支持角度調節機構。
【発明の詳細な説明】
【０００１】
【発明が属する技術分野】
本発明は、ギャッチベッド（ボトムの背上げ、脚上げ機能を有するベッド）において、足側ボトムにボトム取付型側柵を取り付けても、足側ボトムをぐらつかないように支えると共に、簡単な操作で足側ボトムの支え角度の調節が可能な、ギャッチベッドにおける足側ボトムの支持角度調節機構に関するものである。
【０００２】
【従来の技術】
近年のベッドは、病院用は勿論、在宅用ベッドにおいてもギャッチ機能を有するベッドが多い。また、このようなギャッチベッドの中には、ボトムに側柵を直に取り付けるようにしたものがある。
例えば図５に示すベッド１では、ボトム２のうちの、足側を支える足ボトム３に装着した側柵４を有している。この側柵４は例えば回動可能な脚部４ａ，４ａと、これら脚部４ａ，４ａによって支えられる柵パイプ４ｂとによって構成し、柵パイプ４ｂを、ボトム上に突出状態としたり、ボトム下方に格納する状態で保持する構成としている。
かかる状態で側柵４を支持している足ボトム３は、ギャッチ時（背上げおよび脚上げ時）には、図示するように末端側がメインフレーム５から離れて浮き上がった状態となってしまうので、支えとしてステー６を設けて、メインフレーム５側に設けた支持位置調節可能な係止具７に係止させて保持していた。
【０００３】
【発明が解決しようとする課題】
しかしながら、前記側柵４の柵パイプ４ｂに、荷重をかけると、前記係止具７からステー６が外れることがあり、前記側柵４は支えがなくなってぐらついてしまう。このため、前記側柵４が破損したり、使用者を支えきれず、場合によっては転落して怪我するおそれがある。
本発明は、以上のような背景から提案されたものであって、足側ボトムにボトム取付型側柵を取り付けても、足側ボトムをぐらつかないように支えると共に、簡単な操作で足側ボトムの支え角度の調節が可能な、ギャッチベッドにおける足側ボトムの支持角度調節機構を提供することを目的とする。
【０００４】
【課題を解決するための手段】
前記した課題を解決するために、本発明では、請求項１において、ギャッチベッドにおいて、メインフレーム側にステー基端側を回動可能に取り付ける一方、ステー先端側に支持位置調節手段を介して足側ボトムを支持する構成とし、前記支持位置調節手段は、足側ボトム裏面側に、ボトム長手方向に沿う長穴を形成して、この長穴に前記ステー先端側を移動可能に受けてなる調節受部材と、前記ステー先端側に設けた操作レバーと、操作レバー直下においてボトム長手方向に指向して配置したストッパ基台と、このストッパ基台に列設した複数の調節固定穴と、前記操作レバーに突設したストッパとを備え、この操作レバーにおけるストッパを付勢手段により前記ストッパ基台のいずれかの調節固定穴に係止させる構成としたギャッチベッドにおける足側ボトムの支持角度調節機構を提案する。
【０００５】
請求項１によれば、調節受部材の長穴においてステー先端側を操作レバーによって移動操作し、操作レバー直下のストッパ基台に列設した調節固定穴のいずれかに、前記操作レバーのストッパを付勢手段により係止させることで、足側ボトムの支持角度を調節することができる。
【０００６】
【発明の実施の形態】
次に、本発明にかかるギャッチベッドにおける足側ボトムの支持角度調節機構について、一つの実施の形態を挙げ、添付の図面を基に以下説明する。
図１にギャッチベッド１０の足側ボトム１１を示し、この足側ボトム１１には、ボトム取付型側柵４を装着するようにしている。
前記足側ボトム１１は、メインフレーム１２上において、背に対応するボトム（図示省略）、腰に対応する腰ボトム１３、大腿部に対応する膝ボトム１４と順次連結された分割構造のボトムのうちの一つで、ギャッチベッド１０のフットボード（図示省略）寄りに位置している。そして前記足側ボトム１１は、メインフレーム１２に対し、基端側を回動自在に取り付けたステー１５と、このステー１５先端側に連結した支持位置調節手段１６を介して支持角度調節可能に連結支持している。
【０００７】
前記側柵４は、前述のギャッチベッド１における足ボトム３に装着した側柵４と同様の構成のもので、足側ボトム１１にボトム幅方向に嵌挿した横パイプ１７と、膝ボトム１４との連結箇所近傍に設けた横パイプ１８に、脚部４ａ，４ａに設けた軸（図示省略）を、足側ボトム１１側面側から装着するようにしている。
【０００８】
前記ステー１５は、クランク型の一対の支持部材であり、互いに横支軸１５ａ，１５ｂによって連結している（図２参照）。このうち、ステー１５先端側を互いに連結する横支軸１５ａは、後述する支持位置調節手段１６に、調節可能にステー１５を連結するためのボルト（後述）によって取り付けている。
一方、ステー１５の基端側は、メインフレーム１２に形成したステー受具１９に段付ボルト２０によって回動自在に取り付けている。
【０００９】
そして前記支持位置調節手段１６は、足側ボトム１１裏面において、ボトム幅方向両端面側に配置した補強枠２１と、ボトム幅方向に配置した横パイプ１７とに、それぞれ設けた調節受部材２２とストッパ基台２３とを有している。
【００１０】
前記調節受部材２２は、補強枠２１にボトム幅方向に対向するように配置しており、ボトム長手方向に指向する長穴２４を形成している。かかる長穴２４に、前記ステー１５先端側を互いに連結する横支軸１５ａを、段付ボルト２５を介して移動可能に連結している。
【００１１】
前記ストッパ基台２３は、横パイプ１７中央箇所に固設したもので、平担上面２３ａ長手方向をボトム長手方向に指向させている。この平担上面２３ａには、調節固定穴２６が複数、所定間隔形成している。
そして、かかるストッパ基台２３の上方には、平担上面２３ａにおける調節固定穴２６に選択的に係止させることで、前記ステー１５を、横支軸１５ａを介して拘束する拘束レバー２７を設けている。
【００１２】
この拘束レバー２７は、一端をステー１５間の横支軸１５ａに溶着しており、他端側をボトム下方側に向けて屈曲させている。またこの拘束レバー２７の他端側寄りには、ばね部材２８を設けている。
そして、拘束レバー２７には、前記ステー１５間の横支軸１５ａに溶着した一端寄りに、ストッパ基台２３の平担上面２３ａにおける調節固定穴２６に前記ばね部材２８の付勢力によって嵌合させてなるストッパ２９を突設している。
【００１３】
本発明にかかるギャッチベッドにおける足側ボトムの支持角度調節機構によれば、足側ボトム１１は、メインフレーム１２に回動自在に取り付けたステー１５によって支持位置調節手段１６を介して外れないように支持したので、ギャッチ動作時、何れの調節状態にあっても、ぐらつくことなく保持することができるので、取り付けられる側柵４の柵パイプ４ｂに寄りかかっても不安感を使用者に与えることのないように支えることができる。
【００１４】
ここで、支持位置調節手段１６を操作して、足側ボトム１１の支持角度を調節する手順を説明する。
図３に示すように、支持位置調節手段１６において、調節操作事前には、拘束レバー２７におけるストッパ２９は、ストッパ基台２３の平担上面２３ａにおける調節固定穴２６のうちの一つに前記ばね部材２８の付勢力によって係止しており、ステー１５を先端の横支軸１５ａを介して調節受部材２２における長穴２４の所定位置に支持した状態にある。
【００１５】
次いで、拘束レバー２７を、ばね部材２８の付勢力に抗して握り操作することで、ストッパ基台２３の調節固定穴２６から、ストッパ２９を離脱させ、ステー１５先端側の横支軸１５ａを調節受部材２２の長穴２４において、移動可能な状態となる。そして、前記拘束レバー２７によって、ステー１５先端側の横支軸１５ａを前記長穴２４に沿って移動操作して、所望の位置に前記横支軸１５ａをもたらして、拘束レバー２７から手を離すことで、調節固定穴２６のうちの一つに前記ばね部材２８の付勢力によってストッパ２９を係止させて、ステー１５を先端の横支軸１５ａを介して長穴２４の所定位置に支持することができる。
【００１６】
【発明の効果】
本発明によれば、
１．側柵のぐらつきが低減し、側柵を手摺りとして  安心して使用することができる。
２．片手で操作可能なため、操作が簡単である。
３．足側ボトムの角度の微調整が可能となる。
【００１７】
【図面の簡単な説明】
【図１】  本発明にかかるギャッチベッドにおける足側ボトムの支持角度調節機構の一例を示す側面説明図である。
【図２】  図１に示す足側ボトムの支持角度調節手段を実施するための一具体例を示す、斜視説明図である。
【図３】  支持位置調節手段の操作を説明するための、側面説明図である。
【図４】  支持位置調節手段の操作を説明するための、側面説明図である。
【図５】  従来のギャッチベッドにおける足ボトムの支持角度調節機構を説明するための要部側面図である。
【符号の説明】
１                      ベッド
２                      ボトム
３                      足ボトム
４                      側柵
４ａ                    脚部
４ｂ                    柵パイプ
５                      メインフレーム
６                      ステー
７                      係止具
１０                    ギャッチベッド
１１                    足側ボトム
１２                    メインフレーム
１３                    腰ボトム
１４                    膝ボトム
１５                    ステー
１５ａ，１５ｂ          横支軸
１６                    支持位置調節手段
１７，１８              横パイプ
１９                    ステー受具
２０                    段付ボルト
２１                    補強枠
２２                    調節受部材
２３                    ストッパ基台
２３ａ                  上面
２４                    長穴
２５                    段付ボルト
２６                    調節固定穴
２７                    拘束レバー
２８                    ばね部材
２９                    ストッパ
【図１】
0003693160.tif 000002
【図２】
0003693160.tif 000003
【図３】
0003693160.tif 000004
【図４】
0003693160.tif 000005
【図５】
0003693160.tif 000006